(57)【要約】【課題】耐キンク性に優れた医療用チューブを提供すること。【解決手段】カテーテル本体１は、第１の樹脂を含む第１の樹脂材料５１Ａで構成され、隣り合う第１の線材５１線材が離間して螺旋状に巻回された第１の螺旋状部５と、第お２の樹脂を含み、第１の螺旋状部５よりも硬質な第２の樹脂材料６１Ａで構成され、第１の螺旋状部５の隣り合う第１の線材５１の間に配置され、第１の螺旋状部５に沿って、第２の線材６１が螺旋状に巻回された第２の螺旋状部６とを有している。【選択図】図２
2015144791.tif 000002
【特許請求の範囲】
【請求項１】
第１の樹脂を含有する第１の樹脂材料で構成され、隣り合う第１の線材が離間して螺旋状に巻回された第１の螺旋状部と、
第２の樹脂を含有し、前記第１の螺旋状部よりも硬質な第２の樹脂材料で構成され、前記第１の螺旋状部の隣り合う前記第１の線材の間に配置され、前記第１の螺旋状部に沿って、第２の線材が螺旋状に巻回された第２の螺旋状部とを有することを特徴とする医療用チューブ。
【請求項２】
前記第２の螺旋状部は、前記第１の螺旋状部を補強する補強部として機能する請求項１に記載の医療用チューブ。
【請求項３】
前記第１の線材の幅と、前記第２の線材の幅とは、等しい請求項１または２に記載の医療用チューブ。
【請求項４】
前記第１の線材の幅と、前記第２の線材の幅とは、異なっている請求項１または２に記載の医療用チューブ。
【請求項５】
前記第１の樹脂と前記第２の樹脂とは、同一であり、
前記第２の樹脂材料は、前記第１の樹脂材料よりも少ない量で可塑剤を含有するか、あるいは、実質的に含有しないことにより、前記第１の樹脂材料よりも硬質となっている請求項１ないし４のいずれか１項に記載の医療用チューブ。
【請求項６】
前記第１の線材および前記第２の線材の、当該医療用チューブの中心軸に対する傾斜角度は、それぞれ、５〜７０°である請求項１ないし５のいずれか１項に記載の医療用チューブ。
【請求項７】
前記第１の螺旋状部と前記第２の螺旋状部とは、一体的に形成されている請求項１ないし６のいずれか１項に記載の医療用チューブ。
【請求項８】
前記第２の螺旋状部には、当該医療用チューブの側面に開放し、当該医療用チューブの内腔部と連通する側孔が設けられている請求項１ないし７のいずれか１項に記載の医療用チューブ。
【請求項９】
当該医療用チューブは、カテーテルに用いられる請求項１ないし８のいずれか１項に記載の医療用チューブ。
【発明の詳細な説明】
【技術分野】
【０００１】
本発明は、医療用チューブに関するものである。
【背景技術】
【０００２】
近年においては、救急治療における心肺蘇生や、循環補助、呼吸補助を行うため、経皮的心肺補助法（ｐｅｒｃｕｔａｎｅｏｕｓ ｃａｒｄｉｏｐｕｌｍｏｎａｒｙ ｓｕｐｐｏｒｔ,  ＰＣＰＳ）による治療が行われている。この経皮的心肺補助法とは、経皮的心肺補助装置により、一時的に心肺機能の補助・代行を行う方法である。
【０００３】
経皮的心肺補助装置は、遠心ポンプ、人工肺、脱血路および送血路等から構成される体外循環回路を備え、脱血した血液に対してガス交換を行い送血路へ送血するものである。
【０００４】
また、体外循環回路において、脱血路および送血路には、カテーテル（カニューレ）が用いられている（例えば、特許文献１参照）。カテーテルは、脱血路では、患者の大腿静脈に挿入され、送血路では、患者の大腿動脈に挿入されて用いられる。このため、カテーテルの内径は、血液の流路を十分に確保するという観点からは、できるだけ大きいのが好ましい。また、カテーテルの外径は、血管に挿入して用いられるという観点からは、できるだけ小さいのが好ましい。これらを両立させるためには、必然的に、カテーテルの管壁の厚さは薄くなる。
【０００５】
しかしながら、カテーテルでは、管壁を薄くするにつれて、カテーテルを曲げたりしたときに、その内腔が潰れる程度に急峻に屈曲し易くなるおそれがある。すなわち、耐キンク性が低下するおそれがある。
【先行技術文献】
【特許文献】
【０００６】
【特許文献１】米国特許第６９３６０４１号明細書
【発明の概要】
【発明が解決しようとする課題】
【０００７】
本発明の目的は、耐キンク性に優れた医療用チューブを提供することにある。
【課題を解決するための手段】
【０００８】
このような目的は、下記（１）〜（９）の本発明により達成される。
（１）  第１の樹脂を含有する第１の樹脂材料で構成され、隣り合う第１の線材が離間して螺旋状に巻回された第１の螺旋状部と、
第２の樹脂を含有し、前記第１の螺旋状部よりも硬質な第２の樹脂材料で構成され、前記第１の螺旋状部の隣り合う前記第１の線材の間に配置され、前記第１の螺旋状部に沿って、第２の線材が螺旋状に巻回された第２の螺旋状部とを有することを特徴とする医療用チューブ。
【０００９】
（２）  前記第２の螺旋状部は、前記第１の螺旋状部を補強する補強部として機能する上記（１）に記載の医療用チューブ。
【００１０】
（３）  前記第１の線材の幅と、前記第２の線材の幅とは、等しい上記（１）または（２）に記載の医療用チューブ。
【００１１】
（４）  前記第１の線材の幅と、前記第２の線材の幅とは、異なっている上記（１）または（２）に記載の医療用チューブ。
【００１２】
（５）  前記第１の樹脂と前記第２の樹脂とは、同一であり、
前記第２の樹脂材料は、前記第１の樹脂材料よりも少ない量で可塑剤を含有するか、あるいは、実質的に含有しないことにより、前記第１の樹脂材料よりも硬質となっている上記（１）ないし（４）のいずれか１項に記載の医療用チューブ。
【００１３】
（６）前記第１の線材および前記第２の線材の、当該医療用チューブの中心軸に対する傾斜角度は、それぞれ、５〜７０°である上記（１）ないし（５）のいずれか１項に記載の医療用チューブ。
【００１４】
（７）  前記第１の螺旋状部と前記第２の螺旋状部とは、一体的に形成されている上記（１）ないし（６）のいずれか１項に記載の医療用チューブ。
【００１５】
（８）  前記第２の螺旋状部には、当該医療用チューブの側面に開放し、当該医療用チューブの内腔部と連通する側孔が設けられている上記（１）ないし（７）のいずれか１項に記載の医療用チューブ。
【００１６】
（９）  当該医療用チューブは、カテーテルに用いられる上記（１）ないし（８）のいずれか１項に記載の医療用チューブ。
【発明の効果】
【００１７】
本発明によれば、医療用チューブは、第１の螺旋状部よりも硬質な第２の螺旋状部によって補強されるため、耐キンク性に優れる。すなわち、第２の螺旋状部によって、その内腔が潰れる程度に急峻に屈曲するのを防止することができる。
【００１８】
特に、側孔が形成されている部分の周辺部は、医療用チューブを曲げたとき、その他の部分に比べて、応力が集中し易く、周辺部を起点として急峻に屈曲し易い。しかしながら、この側孔を比較的硬質な第２の螺旋状部に形成することで、側孔が形成されている部分を起点とする急峻な屈曲を効果的に抑制することができる。
【図面の簡単な説明】
【００１９】
【図１】図１は、本発明の医療用チューブの第１実施形態を示す側面図である。
【図２】図２は、図１に示す医療用チューブの拡大詳細図である。
【図３】図３は、図１に示す医療用チューブの製造過程を示す斜視図である。
【図４】図４は、図１に示す医療用チューブの製造過程を示す斜視図である。
【図５】図５は、本発明の医療用チューブの第２実施形態を示す側面図である。
【図６】図６は、本発明の医療用チューブの第３実施形態を示す側面図である。
【発明を実施するための形態】
【００２０】
以下、本発明の医療用具を添付図面に示す好適な実施形態に基づいて詳細に説明する。
＜第１実施形態＞
図１は、本発明の医療用チューブの第１実施形態を示す側面図、図２は、図１に示す医療用チューブの拡大詳細図、図３は、図１に示す医療用チューブの製造過程を示す斜視図、図４は、図１に示す医療用チューブの製造過程を示す斜視図である。
【００２１】
なお、以下では、説明の都合上、図１および図２の左側を「先端」、右側を「基端」と言う。また、各図では、カテーテルの径方向の大きさを誇張して図示している。このため、図示のカテーテルは、実際の寸法とは異なる。
【００２２】
図１に示すカテーテル１０は、本発明の医療用チューブを適用したカテーテル本体１と、カテーテル本体１の基端部に設けられたハブ２とを有している。カテーテル１０の用途としては、特に限定されないが、本実施形態では、経皮的心肺補助法（ｐｅｒｃｕｔａｎｅｏｕｓ ｃａｒｄｉｏｐｕｌｍｏｎａｒｙ ｓｕｐｐｏｒｔ,  ＰＣＰＳ）に用いられるカテーテル（カニューレ）として説明する。
【００２３】
カテーテル本体１には、先端から基端にかけて内部にルーメン（内腔部）３が形成されている。カテーテル本体１を例えば血管等に挿入する際には、ルーメン３には、ガイドワイヤ等が挿通される。また、脱血または送血を行う際には、ルーメン３は、血液の流路として機能する。
【００２４】
また、カテーテル本体１をＸ線透視下で確認できるようにするために、カテーテル本体１にＸ線造影性を付与しておくのが好ましい。このＸ線造影性を付与する方法としては、例えば、カテーテル本体１の構成材料中に例えば硫酸バリウム、酸化ビスマス、タングステン等のＸ線不透過物質を配合する方法、このようなＸ線不透過物質によるマーカーを埋設または表面に付する方法等が挙げられる。
【００２５】
カテーテル本体１の全長は、特に限定されないが、４００〜７００ｍｍが好ましく、５００〜６００ｍｍがより好ましい。
【００２６】
また、カテーテル本体１の外径は、特に限定されないが、例えば、５．０〜１０．０ｍｍ程度であるのが好ましく、６．０〜８．０程度ｍｍであるのがより好ましい。また、カテーテル本体１の内径は、特に限定されないが、例えば、４．０〜８．０ｍｍ程度であるのが好ましく、５．０〜７．０ｍｍ程度であるのがより好ましい。そして、カテーテル本体１の管壁の厚さは、１．０ｍｍ以下であるのが好ましく０．５ｍｍ以下であるのがより好ましい。
【００２７】
カテーテル本体１の外径および内径を上記数値範囲とすることで、血管内に比較的に容易に挿入することができるとともに、ルーメン３の大きさを十分に確保することができる。
【００２８】
カテーテル本体１の外表面には、親水性材料（親水性ポリマー）で構成された表面層（図示せず）が設けられているのが好ましい。この親水性材料は、湿潤により潤滑性を発現するので、カテーテル本体１を血管内に挿入する際、より円滑かつ容易に挿入することができ、操作性、安全性の向上に寄与し、患者の負担を軽減することができる。
【００２９】
親水性材料としては、例えば、セルロース系高分子物質、ポリエチレンオキサイド系高分子物質、無水マレイン酸系高分子物質（例えば、メチルビニルエーテル−無水マレイン酸共重合体のような無水マレイン酸共重合体）、アクリルアミド系高分子物質（例えば、ポリアクリルアミド、ポリグリシジルメタクリレート−ジメチルアクリルアミド（ＰＧＭＡ−ＤＭＡＡ）のブロック共重合体）、水溶性ナイロン、ポリビニルアルコール、ポリビニルピロリドン等が挙げられる。
【００３０】
図１に示すように、カテーテル本体１の基端には、筒状のハブ２が設けられている。ハブ２の内腔部は、ルーメン３と連通している。このハブ２は、例えば、人工肺、遠心ポンプ等、他の医療用具との接続部として機能する。また、ハブ２は、ルーメン３内へのガイドワイヤの挿入口、ルーメン３内への血液、造影剤、薬液、洗浄等の注入口等としても機能する。また、カテーテル１０を操作する際の把持部としても機能する。
【００３１】
図２に示すように、カテーテル本体１は、主としてカテーテル本体１の柔軟性を高めるのを担う第１の螺旋状部５と、主としてカテーテル本体１を補強する補強部として機能する第２の螺旋状部６とで構成されている。
【００３２】
第１の螺旋状部５は、第１の線材５１がカテーテル本体１の中心軸Ｏ回りに螺旋状に巻回されて形成されている。この第１の線材５１は、帯状をなし、幅Ｗ１および厚さＴ１が、第１の線材５１の長手方向の全長にわたって一定である。また、第１の螺旋状部５では、隣り合う第１の線材５１同士が離間するよう疎巻きになっている。このような第１の螺旋状部５は、第１の樹脂を含み、比較的軟質な第１の樹脂材料５１Ａで構成されている。
【００３３】
隣り合う第１の線材５１の間には、第２の螺旋状部６が配置されている。第２の螺旋状部６は、第２の線材６１がカテーテル本体１の中心軸Ｏ回りに螺旋状に巻回されて形成されている。第２の線材６１は、隣り合う第１の線材５１の間で、第１の線材５１に沿って巻回されている。
【００３４】
第２の線材６１は、第１の線材５１と同様に、帯状をなし、幅Ｗ２および厚さＴ２が、第２の線材６１の長手方向の全長にわたって一定である。この第２の線材６１は、第２の樹脂を含み、第１の線材５１よりも硬質な第２の樹脂材料６１Ａで構成されている。
【００３５】
このように、カテーテル本体１では、２本の線材５１、６１がカテーテル本体１の長手方向に沿って交互に配置されるよう、それぞれ螺旋状をなしている。これにより、図２に示すように、カテーテル本体１の長手方向のどの部分の横断面においても、補強部としての第２の螺旋状部６が配置されることとなる。よって、カテーテル本体１は、その長手方向の全長にわたって第２の螺旋状部６によって補強される。その結果、カテーテル本体１のどの部分を曲げても、カテーテル本体１がルーメン３が潰れる程度に急峻に屈曲するのを防止することができる。したがって、カテーテル１０は、耐キンク性に優れる。
【００３６】
また、本実施形態では、第１の線材５１の幅Ｗ１と第２の線材６１の幅Ｗ２とは、等しい。これにより、カテーテル本体１において、第１の螺旋状部５が占める割合と、第２の螺旋状部６が占める割合とが、略等しくなる。よって、カテーテル本体１では、柔軟性と耐キンク性とを確実に両立することができる。
【００３７】
また、本実施形態では、第１の線材５１の中心軸Ｏに対する傾斜角度θ１と、第２の線材６１の中心軸Ｏに対する傾斜角度θ２とは、等しい。傾斜角度θ１および傾斜角度θ２とは、それぞれ、５〜７０°であるのが好ましく、１０〜３５°であるのがより好ましい。傾斜角度θ１および傾斜角度θ２を、上記数値範囲とすることにより、第１の線材５１および第２の線材６１の形状を、できるだけ直線状に近づけることができる。よって、カテーテル１０の押し込み性の向上も図ることもできる。
【００３８】
また、第２の螺旋状部６には、カテーテル本体１の管壁の厚さ方向に貫通した、側孔４が形成されている。側孔４は、カテーテル本体１の側面に開放し、ルーメン３と連通している。これにより、ルーメン３および側孔４を順に介して、例えば、薬液（麻酔薬、抗ガン剤、生理食塩水等）を目的部位に注入することができる。本実施形態では、側孔４は、カテーテル本体１の側面視で円形をなしているが、例えば、多角形、楕円形等いかなる形状であってもよい。
【００３９】
また、側孔４の直径ｄは、１．０〜３．０ｍｍ程度であるのが好ましく、２．０ｍｍ程度であるのがより好ましい。これにより、上記薬剤の注入等を十分に行うことができる。
【００４０】
側孔４は、形成の容易性、形状、寸法精度に優れる点からレーザー加工により形成するのが好ましく、なかでもエキシマレーザーが特に好ましい。
【００４１】
エキシマレーザーは、紫外域で高ピークパワーの短パルス発振を行うレーザーであり、希ガス（Ａｒ、Ｋｒ、Ｘｅ等）と、ハロゲン（Ｆ、Ｃｌ、Ｂｒ等）との組合せにより、例えば波長１９３〜３５１nmで発振する。このようなエキシマレーザーを高分子物質材料に照射すると、瞬間的に、材料に熱影響のない蒸散加工ができる現象、いわゆるアブレーション現象を利用してカテーテル本体１に微細な側孔４を形成することができる。したがって、変質、溶融、バリ、スス等の加工不良を生じることなく、小径の側孔４を容易に高い寸法制度で形成することができる。
【００４２】
ここで、一般的に、カテーテルに側孔が形成されている部分は、当該部分の管壁の一部が除去されている分、比較的剛性が低い。このため、カテーテルの側孔が形成されている部分を起点として急峻に屈曲し易くなっている。また、カテーテルを金属で補強している場合には、上記のようなレーザー加工は困難である。
【００４３】
これに対し、カテーテル１０では、側孔４は、比較的硬質な第２の螺旋状部６に形成されている。これにより、第２の螺旋状部６の側孔４が形成されている部分は、急峻に屈曲しない程度の剛性を十分に確保することができる。また、第２の螺旋状部６は、樹脂材料で構成されているため、上記のようにレーザー加工により側孔４を容易に形成することができる。
【００４４】
なお、側孔４の開口の直径ｄは、第２の線材６１の幅Ｗ２の２０〜１００％程度であるのが好ましく、３０〜９０％程度であるのがより好ましく、４０〜８０％程度であるのが特に好ましい。これにより、カテーテル１０は、上記効果を確実に発揮することができる。
【００４５】
このような第１の螺旋状部５と第２の螺旋状部６とは、一体的に形成されているのが好ましい。これにより、第１の螺旋状部５と第２の螺旋状部６とを別体で構成し、この別体同士を接合する場合に比べて、容易に製造することができる。
【００４６】
第１の螺旋状部５および第２の螺旋状部６を構成する材料（第１の樹脂および第２の樹脂）としては、特に限定されないが、第１の螺旋状部５と第２の螺旋状部６とを一体的に形成する場合、親和性（密着性）を高めるために、両者を同一の材料で構成するのが好ましい。この材料としては、特に限定されないが、ポリエステル、ポリ塩化ビニル、ウレタン系樹脂が好ましい。
【００４７】
第１の螺旋状部５（第１の樹脂材料５１Ａ）および第２の螺旋状部６（第２の樹脂材料６１Ａ）は、例えば、その平均分子量（重合度）を変えること、可塑剤の添加量（含有量）を変えること等により両者の可撓性または剛性に差異を持たせることもできる。
【００４８】
可塑剤を添加することで、第１の螺旋状部５および第２の螺旋状部６の剛性に差異を持たせる場合、第２の樹脂材料６１Ａは、第１の樹脂材料５１Ａよりも少ない量で可塑剤を含有するか、あるいは、実質的に含有しないことにより、第１の樹脂材料５１Ａよりも硬質とすることができる。
【００４９】
第１の樹脂材料５１Ａ中の可塑剤の含有量は、１０〜４０ｗｔ％程度が好ましく、２０〜３０ｗｔ％程度がより好ましい。一方、第２の樹脂材料６１Ａ中の可塑剤の含有量は、０〜２０ｗｔ％程度が好ましく、１０〜１５ｗｔ％程度がより好ましい。
【００５０】
このような可塑剤としては、例えば、フタル酸ジ−２−エチルヘキシル（ＤＥＨＰ）、フタル酸ジノルマルデシル（ＤｎＤＰ）等のフタル酸ジエステルや、その他、アジピン酸ジ−２−エチルヘキシル（ＤＥＨＡ）のようなアジピン酸ジエステル、トリメリット酸トリエステル等を用いることができるが、これらのうち、フタル酸ジ−２−エチルヘキシル（ＤＥＨＰ）、フタル酸ジノルマルデシル（ＤｎＤＰ）等が好ましい。
【００５１】
また、第１の樹脂材料５１Ａ中の可塑剤と、第２の樹脂材料６１Ａ中の可塑剤とは、同一であっても異なっていてもよい。
【００５２】
次に、カテーテル１０（カテーテル本体１）の製造方法について、図３および図４を参照しつつ説明する。なお、以下では、図３および図４中の上側を「上」、下側を「下」とも言う。
【００５３】
また、カテーテル１０の製造に際し、カテーテル本体１以外の部分（ハブ２）における製造方法に関しては、公知技術を用いることができる。したがって、以下、カテーテル本体１の製造方法について説明する。
【００５４】
［１］用意工程
まず、図３に示すように、芯材（マンドレル）７と、芯材７の外周部に樹脂材料を供給するノズル８を備える供給装置（図示せず）とを用意する。
【００５５】
芯材７は、丸棒状をなしており、直径は、カテーテル本体１の内径と略等しいのが好ましい。また、芯材７は、金属材料で構成されているのが好ましい。
【００５６】
ノズル８は、第１の樹脂材料５１Ａを液状で吐出する第１のノズル８１と、第２の樹脂材料６１Ａを液状で吐出する第２のノズル８２とを有している。また、第１のノズル８１と第２のノズル８２とは、隣接して設けられている。このノズル８は、第１のノズル８１と第２のノズル８２とが芯材７の中心軸Ｏ’に沿って並ぶように、芯材７の上方に配置される。
【００５７】
なお、樹脂材料５１Ａおよび樹脂材料６１Ａは、比較的高温（例えば、１００〜２５０°程度）で吐出される。
【００５８】
［２］供給工程
次に、図４に示すように、第１のノズル８１から第１の樹脂材料５１Ａを吐出するとともに第２のノズル８２から第２の樹脂材料６１Ａを吐出する。このとき、第１の樹脂材料５１Ａおよび第２の樹脂材料６１Ａは、同じ量吐出される。これにより、第１の線材５１および第２の線材６１は、同じ幅になる。
【００５９】
また、供給工程では、前記供給を、芯材７を図３および図４中矢印Ａ方向に回転させつつ、ノズル８を図３および図４中矢印Ｂ方向に移動させながら行う。これにより、各樹脂材料５１Ａ、６１Ａは、芯材７の外周面上に、螺旋状に巻回される。
【００６０】
芯材７の回転数は、０．５〜２．０ｒｐｓが好ましく、０．７〜１．８ｒｐｓがより好ましい。なお、本実施形態では、先端側から見たとき、芯材７を反時計回りに回転させているが、時計回りに回転させてもよい。
【００６１】
また、ノズル８の移動速度は、０．５〜２０．０ｍｍ／ｓが好ましく、１．０〜４．０ｍｍ／ｓがより好ましい。
【００６２】
芯材７の回転数およびノズル８の移動速度を調節することで、隣り合う線材（樹脂材料）同士が重なるのを防止することができる。
【００６３】
なお、第１の線材５１および第２の線材６１のカテーテル本体１の中心軸Ｏに対する傾斜角度θ１、θ２は、芯材７の回転数およびノズル８の移動速度により設定される。
【００６４】
［３］冷却工程
次に、前記供給工程で得られた高温のカテーテル本体１を冷却して固化する。この冷却方法としては、例えば、冷却水が貯留された貯留槽（図示せず）に浸漬することで高温のカテーテル本体１を冷却する方法等が挙げられる。
そして、カテーテル本体１は、所望の長さに切断される。
【００６５】
以上の［１］〜［３］の工程を経てカテーテル本体１は製造される。
なお、図示しないが、芯材７の外周に、芯材７を挿通する筒状部材が配置されているのが好ましい。この筒状部材は、内径が芯材７の外形よりも大きい。これにより、芯材７と筒状部材との間に間隙（キャビティ）が形成される。
【００６６】
また、この筒状部材には、内側から外側まで貫通し、該筒状部材の軸方向に沿って設けられたスリットが設けられている。これにより、ノズル８の一部をスリット内に挿入し、この挿入状態でスリット内を移動しつつ各樹脂材料５１Ａ、６１Ａの供給を行うことができる。
【００６７】
このような筒状部材を配置することで、カテーテル本体１の外周を確実に平坦にすることができる。
【００６８】
＜第２実施形態＞
図５は、本発明の医療用チューブの第２実施形態を示す側面図である。
【００６９】
以下、この図を参照して本発明の医療用チューブの第２実施形態について説明するが、前述した実施形態との相違点を中心に説明し、同様の事項はその説明を省略する。
【００７０】
本実施形態は、第１の線材および第２の線材の幅が異なること以外は前記第１実施形態と略同様である。
【００７１】
図５に示すように、カテーテル１０Ａのカテーテル本体１Ａでは、第２の線材６１の幅Ｗ２は、第１の線材５１の幅Ｗ１よりも小さい。また、第２の線材６１の幅Ｗ２は、第１の線材の幅Ｗ１の１０〜９０程度％であるのが好ましく、３０〜７０％程度であるのがより好ましい。これにより、柔軟性と耐キンク性とを両立することができるとともに、カテーテル本体１Ａのうち、第１の螺旋状部５が占める割合が比較的高い分、より柔軟性に富んだカテーテル本体１Ａを得ることができる。このようなカテーテル１０Ａは、第１実施形態でのカテーテル１０よりも柔軟性に富んだものが好ましい場合に用いられる。
【００７２】
＜第３実施形態＞
図６は、本発明の医療用チューブの第３実施形態を示す側面図である。
【００７３】
以下、この図を参照して本発明の医療用チューブの第３実施形態について説明するが、前述した実施形態との相違点を中心に説明し、同様の事項はその説明を省略する。
【００７４】
本実施形態は、第１の線材および第２の線材の幅の大小関係が異なること以外は前記第２実施形態と略同様である。
【００７５】
図６に示すように、カテーテル１０Ｂのカテーテル本体１Ｂでは、第２の線材６１の幅Ｗ２は、第１の線材５１の幅Ｗ１よりも大きい。また、第２の線材６１の幅Ｗ２は、第１の線材の幅Ｗ１の１１０〜１９０程度％であるのが好ましく、１３０〜１７０％程度であるのがより好ましい。これにより、柔軟性と耐キンク性とを両立することができるとともに、カテーテル本体１Ｂのうち第２の螺旋状部６が占める割合が比較的高い分、より剛性の高いカテーテル本体１Ｂを得ることができる。また、カテーテル本体１Ｂは、トルク伝達性および押し込み性にも優れる。
【００７６】
このようなカテーテル１０Ｂは、第１実施形態でのカテーテル１０よりも剛性が高いものが好ましい場合に用いられる。
【００７７】
以上、本発明の医療用チューブを図示の実施形態について説明したが、本発明は、これに限定されるものではなく、医療用チューブを構成する各部は、同様の機能を発揮し得る任意の構成のものと置換することができる。
【００７８】
なお、前記各実施形態では、第１の線材の幅および第２の線材の幅は、それらの長手方向の全長にわたって一定であるが、本発明ではこれに限定されず、第１の線材および第２の線材は、幅が変化している部分を有していてもよい。
【００７９】
また、前記各実施形態では、第１の螺旋状部および第２の螺旋状部では、各線材が図示の巻回方向と反対方向に巻回されていてもよい。
【００８０】
また、前記各実施形態では、医療用チューブには、側孔が１つ形成されているが、本発明ではこれに限定されず、複数個設けられていてもよい。
【００８１】
また、前記各実施形態では、側孔は、第２の螺旋状部に設けられているが、本発明ではこれに限定されず、例えば、その一部が第１の螺旋状部に跨って設けられていてもよい。
【符号の説明】
【００８２】
１、１Ａ、１Ｂ  カテーテル本体
２        ハブ
３        ルーメン
４        側孔
５        第１の螺旋状部
５１      第１の線材
５１Ａ    第１の樹脂材料
６        第２の螺旋状部
６１      第２の線材
６１Ａ    第２の樹脂材料
７        芯材
８        ノズル
８１      第１のノズル
８２      第２のノズル
１０、１０Ａ、１０Ｂ  カテーテル
Ｏ        中心軸
θ１、θ２  傾斜角度
【図１】
2015144791.tif 000003
【図２】
2015144791.tif 000004
【図３】
2015144791.tif 000005
【図４】
2015144791.tif 000006
【図５】
2015144791.tif 000007
【図６】
2015144791.tif 000008